【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
複数のチャンネルのアナログデータの何れかを選択し、前記選択したチャンネルのアナログデータをデジタルデータに変換するＡ／Ｄ変換手段と、
前記Ａ／Ｄ変換手段から出力されたデジタルデータを保持する手段であって、各チャンネルについて連続した２周期のデジタルデータを保持する第１の保持手段と、
前記Ａ／Ｄ変換手段から出力されたデジタルデータを保持する第２の保持手段と、
前記第２の保持手段において保持されるデジタルデータを更新する更新手段と、
第１の種類のチャンネルのアナログデータを第１の周期で選択し、第２の種類のチャンネルのアナログデータを前記第１の周期よりも長い第２の周期で選択するように、前記Ａ／Ｄ変換手段を制御すると共に、前記Ａ／Ｄ変換手段による変換に応じて前記第２の保持手段により保持されるデジタルデータを更新するように前記更新手段を制御する制御手段とを備え、
前記制御手段は、前記第１の保持手段により保持されたデジタルデータに基づき、前記第１の保持手段に保持された前記第１の種類の一つのチャンネルの連続した２周期のデジタルデータの差が閾値より大きいと判別した場合、前記更新手段が前記一つのチャンネルについて前記第２の保持手段に保持されるデジタルデータを更新しないように制御すると共に、前記第２の種類のチャンネルのアナログデータを選択するタイミングで、前記第２の種類のチャンネルのアナログデータに代えて、前記一つのチャンネルのアナログデータを選択して再度デジタルデータに変換するように前記Ａ／Ｄ変換手段を制御し、前記Ａ／Ｄ変換手段が再度変換することにより出力された前記一つのチャンネルのデジタルデータを前記第２の保持手段に保持させるように前記更新手段を制御することを特徴とする画像処理装置。
【請求項２】
複数のチャンネルのアナログデータの何れかを選択し、前記選択したチャンネルのアナログデータをデジタルデータに変換するＡ／Ｄ変換手段と、
前記Ａ／Ｄ変換手段から出力されたデジタルデータを保持する手段であって、各チャンネルについて連続した２周期のデジタルデータを保持する第１の保持手段と、
前記Ａ／Ｄ変換手段から出力されたデジタルデータを保持する第２の保持手段と、
前記第２の保持手段において保持されるデジタルデータを更新する更新手段と、
第１の種類のチャンネルのアナログデータを第１の周期で選択し、第２の種類のチャンネルのアナログデータを前記第１の周期よりも長い第２の周期で選択するように、前記Ａ／Ｄ変換手段を制御すると共に、前記Ａ／Ｄ変換手段による変換に応じて前記第２の保持手段により保持されるデジタルデータを更新するように前記更新手段を制御する制御手段とを備え、
前記制御手段は、前記第１の保持手段により保持されたデジタルデータに基づき、前記第１の保持手段に保持された前記第１の種類の一つのチャンネルの連続した２周期のデジタルデータの差が閾値より大きいと判別した場合、前記更新手段が前記一つのチャンネルについて前記第２の保持手段に保持されるデジタルデータを更新しないように制御すると共に、前記第１の種類の複数のチャンネルのうち前記一つのチャンネルの次に変換されるチャンネルのアナログデータを選択するタイミングで、前記次に変換されるチャンネルのアナログデータに代えて、前記一つのチャンネルのアナログデータを選択して再度デジタルデータに変換するように前記Ａ／Ｄ変換手段を制御し、前記Ａ／Ｄ変換手段が再度変換することにより出力された前記一つのチャンネルのデジタルデータを前記第２の保持手段に保持させるように前記更新手段を制御することを特徴とする画像処理装置。
【請求項３】
前記制御手段は、前記一つのチャンネルの連続した２周期のデジタルデータの差が閾値より大きいと判別した場合、前記第２の種類のチャンネルのアナログデータを選択するタイミングで、前記第２の種類のチャンネルのアナログデータに代えて、前記次に変換されるチャンネルのアナログデータを選択するように、前記Ａ／Ｄ変換手段を制御することを特徴とする請求項２に記載の画像処理装置。
【請求項４】
複数のチャンネルのアナログデータの何れかを選択し、前記選択したチャンネルのアナログデータをデジタルデータに変換するＡ／Ｄ変換手段と、
前記Ａ／Ｄ変換手段から出力されたデジタルデータを保持する手段であって、各チャンネルについて連続した２周期のデジタルデータを保持する第１の保持手段と、
前記Ａ／Ｄ変換手段から出力されたデジタルデータを保持する第２の保持手段と、
前記第２の保持手段において保持されるデジタルデータを更新する更新手段と、
第１の種類のチャンネルのアナログデータを第１の周期で選択し、第２の種類のチャンネルのアナログデータを前記第１の周期よりも長い第２の周期で選択するように、前記ＡＤ変換手段を制御すると共に、前記ＡＤ変換手段による変換に応じて前記第２の保持手段により保持されるデジタルデータを更新するように前記更新手段を制御する制御手段とを備える画像処理装置の制御方法であって、
前記第１の保持手段により保持されたデジタルデータに基づき、前記第１の保持手段に保持された前記第１の種類の一つのチャンネルの連続した２周期のデジタルデータの差が閾値より大きいと判別した場合に、前記制御手段が、
前記更新手段が前記一つのチャンネルについて前記第２の保持手段に保持されるデジタルデータを更新しないように制御する工程と、
前記第２の種類のチャンネルのアナログデータを選択するタイミングで、前記第２の種類のチャンネルのアナログデータに代えて、前記一つのチャンネルのアナログデータを選択して再度デジタルデータに変換するように前記Ａ／Ｄ変換手段を制御する工程と、
前記Ａ／Ｄ変換手段が再度変換することにより出力された前記一つのチャンネルのデジタルデータを前記第２の保持手段に保持させるように前記更新手段を制御する工程と
を備えることを特徴とする画像処理装置の制御方法。
【請求項５】
複数のチャンネルのアナログデータの何れかを選択し、前記選択したチャンネルのアナログデータをデジタルデータに変換するＡ／Ｄ変換手段と、
前記Ａ／Ｄ変換手段から出力されたデジタルデータを保持する手段であって、各チャンネルについて連続した２周期のデジタルデータを保持する第１の保持手段と、
前記Ａ／Ｄ変換手段から出力されたデジタルデータを保持する第２の保持手段と、
前記第２の保持手段において保持されるデジタルデータを更新する更新手段と、
第１の種類のチャンネルのアナログデータを第１の周期で選択し、第２の種類のチャンネルのアナログデータを前記第１の周期よりも長い第２の周期で選択するように、前記Ａ／Ｄ変換手段を制御すると共に、前記Ａ／Ｄ変換手段による変換に応じて前記第２の保持手段により保持されるデジタルデータを更新するように前記更新手段を制御する制御手段とを備える画像処理装置の制御方法であって、
前記制御手段が、前記第１の保持手段により保持されたデジタルデータに基づき、前記第１の保持手段に保持された前記第１の種類の一つのチャンネルの連続した２周期のデジタルデータの差が閾値より大きいと判別した場合、前記更新手段が前記一つのチャンネルについて前記第２の保持手段に保持されるデジタルデータを更新しないように制御する工程と、
前記制御手段が、前記第１の種類の複数のチャンネルのうち前記一つのチャンネルの次に変換されるチャンネルのアナログデータを選択するタイミングで、前記次に変換されるチャンネルのアナログデータに代えて、前記一つのチャンネルのアナログデータを選択して再度デジタルデータに変換するように前記Ａ／Ｄ変換手段を制御する工程と、
前記制御手段が、前記Ａ／Ｄ変換手段が再度変換することにより出力された前記一つのチャンネルのデジタルデータを前記第２の保持手段に保持させるように前記更新手段を制御する工程と
を備えることを特徴とする画像処理装置の制御方法。
【手続補正２】
【補正対象書類名】明細書
【補正対象項目名】発明の名称
【補正方法】変更
【補正の内容】
【発明の名称】画像処理装置及びその制御方法
【手続補正３】
【補正対象書類名】明細書
【補正対象項目名】０００１
【補正方法】変更
【補正の内容】
【０００１】
本発明は、画像処理装置及びその制御方法に関する。
【手続補正４】
【補正対象書類名】明細書
【補正対象項目名】０００７
【補正方法】変更
【補正の内容】
【０００７】
上記課題を解決する本発明は、
複数のチャンネルのアナログデータの何れかを選択し、前記選択したチャンネルのアナログデータをデジタルデータに変換するＡ／Ｄ変換手段と、
前記Ａ／Ｄ変換手段から出力されたデジタルデータを保持する手段であって、各チャンネルについて連続した２周期のデジタルデータを保持する第１の保持手段と、
前記Ａ／Ｄ変換手段から出力されたデジタルデータを保持する第２の保持手段と、
前記第２の保持手段において保持されるデジタルデータを更新する更新手段と、
第１の種類のチャンネルのアナログデータを第１の周期で選択し、第２の種類のチャンネルのアナログデータを前記第１の周期よりも長い第２の周期で選択するように、前記Ａ／Ｄ変換手段を制御すると共に、前記Ａ／Ｄ変換手段による変換に応じて前記第２の保持手段により保持されるデジタルデータを更新するように前記更新手段を制御する制御手段とを備える画像処理装置であって、
前記制御手段は、前記第１の保持手段により保持されたデジタルデータに基づき、前記第１の保持手段に保持された前記第１の種類の一つのチャンネルの連続した２周期のデジタルデータの差が閾値より大きいと判別した場合、前記更新手段が前記一つのチャンネルについて前記第２の保持手段に保持されるデジタルデータを更新しないように制御すると共に、前記第２の種類のチャンネルのアナログデータを選択するタイミングで、前記第２の種類のチャンネルのアナログデータに代えて、前記一つのチャンネルのアナログデータを選択して再度デジタルデータに変換するように前記Ａ／Ｄ変換手段を制御し、前記Ａ／Ｄ変換手段が再度変換することにより出力された前記一つのチャンネルのデジタルデータを前記第２の保持手段に保持させるように前記更新手段を制御することを特徴とする。